(57)【要約】【課題】組み立て容易で、角部に突起性がなく、且つ、梱包対象物から抜け落ちにくい包装用コーナーパッドを提供すること。【解決手段】側板１を介し左右各々に凹部１４を有する外側板２、３を設け、外側板２の上下に内天地板４、もう片方の外側板３の上下に、隣り合う内天地板４と鉤状もしくは波状の支持辺１０を少なくとも１つ以上共有する外天地板５を延設し、折曲線６〜８を折り曲げることによって、折曲線９上に支持辺１０が重なり、外天地板５を内天地板４の外面に重なるように折り曲げ、さらに屈曲自在で両端に凹部１１ａを有する支持板１１を内天地板４の内面に重なるように折り曲げることで形成する。【選択図】図１
0003150234.tif 000002
【実用新案登録請求の範囲】
【請求項１】
側板を介し左右各々に外側板を設け、外側板の上下に内天地板、もう片方の外側板の上下に外天地板を延設し、外天地板が内天地板の外面に重なるように折曲線を折り曲げ、外天地板より延設された支持板を内天地板の内面に折り重ねることにより内天地板と外天地板が連結し、形成されるコーナーパッド。
【請求項２】
外天地板より延設された支持板を内天地板の最長辺に沿って折り曲げることで、コーナーパッドの内部に屈曲自在の支持板が形成され、支持板の折曲線が有する反発力が梱包対象物との固定に作用するようにした請求項１記載のコーナーパッド。
【請求項３】
外天地板が隣り合う内天地板と鉤状もしくは波状の支持辺を少なくとも１つ以上共有し、支持辺が折曲線上に重なって側板を形成する請求項１記載のコーナーパッド。
【請求項４】
側板の対向側に凹部を設けた外側板を有すると共に、外天地板と支持板の両端が直角で交わることで凹部を形成することを特徴とする請求項１記載のコーナーパッド。
【考案の詳細な説明】
【技術分野】
【０００１】  本考案は、包装用コーナーパッドに関する。
【背景技術】
【０００２】  従来、この種のコーナーパッドとして特許文献１に記載のコーナーパッドが提案されている。このコーナーパッドは一枚の段ボールシートを折り畳むことで形成され、梱包対象物の角部の保護を図るものである。
【特許文献１】特開平１１−５９７２１
【考案の開示】
【考案が解決しようとする課題】
【０００３】  特許文献１に記載のコーナーパッドは折り曲げ作業が煩雑であり、迅速に形成させることが困難であった。【０００４】  また、特許文献１に記載のコーナーパッドを梱包対象物の角部に嵌め込むだけでは、搬送中にコーナーパッドが抜け落ちてしまうという不都合があった。【０００５】  更に、特許文献１に記載のコーナーパッドは角部が突起形状となっているため、嵌め込んだ後にフィルムや紙などの軟包材梱包をすると、破れてしまうという不都合があった。【０００６】  そこで本考案は、上述の課題を解決すべく案出されたもので、一枚の段ボールシートから単純な折り曲げ作業で形成でき、角部を平面とし、抜け落ちにくい安価なコーナーパッドの提供を目的とするものである。
【課題を解決するための手段】
【０００７】  上述の目的を達成するため、本考案の第１の手段は、側板１を介し左右各々に外側板２、３を設け、外側板２の上下に内天地板４、もう片方の外側板３の上下に外天地板５を延設し、外天地板５が内天地板４の外面に重なるように折曲線６〜９を折り曲げ、外天地板５より延設された支持板１１を内天地板４の内面に折り重ねることにより内天地板４と外天地板５が連結し、形成されたものである。【０００８】  第２の手段は、外天地板５より延設された支持板１１を内天地板４の最長辺に沿って折り曲げることで、コーナーパッドの内部に屈曲自在の支持板１１が形成され、支持板１１の折曲線１２が有する反発力が梱包対象物との固定に作用するようにしたものである。【０００９】  第３の手段は、外天地板５が隣り合う内天地板４と鉤状もしくは波状の支持辺１０を少なくとも１つ以上共有し、支持辺１０が折曲線９上に重なって側板１を形成する。【００１０】  第４の手段は、側板１の対向側に凹部１４を設けた外側板２、３を有すると共に、外天地板５と支持板１１の両端が直角で交わることで凹部１１ａを形成することを特徴とする。
【考案の効果】
【００１１】  本考案の請求項１により、外天地板５が内天地板４の外面に重なるように折曲線６〜９を折り曲げ、外天地板５より延設された支持板１１を内天地板４の内面に重なるように折り曲げて連結するという極めて単純な折り畳み作業で形成できるコーナーパッドの提供が可能となった。未使用時にはブランクの状態で輸送が可能なので積載効率が良く、保管性に優れ、製造上はブランクを打ち抜くだけで提供できるのでコスト面にも優れる。また、内天地板４と外天地板５が重なり合い、さらに支持板１１を内天地板４の内面に折り重ねるため、強度十分である。さらに、接着剤を必要としないため、使用後は簡単に解体、廃棄処分が行えるものである。【００１２】  請求項２では、コーナーパッドの内部に屈曲自在の支持板１１が形成され、支持板１１の折曲線１２が有する反発力が梱包対象物との固定に作用することから、コーナーパッドが梱包対象物から抜け落ちにくくすることができる。【００１３】  請求項３では、鉤状もしくは波状の支持辺１０が折曲線９上に重なって側板１を形成することから、支持板１０がコーナーパッド形成時の内天地板４の振動を防ぎ、安定して側板１を形成することができる。【００１４】  請求項３で側板１を形成し、請求項４で外側板２、３と支持板１１にそれぞれ凹部１４、１１ａを設けることで、角部の突起性がないコーナーパッドとなり、コーナーパッド上からフィルムや紙などの軟包材梱包をしても、角部での破損を防ぐことができる。【００１５】  このように本考案によると、極めて単純な折り畳み作業で強固なコーナーパッドを形成でき、使用後は簡単に解体、廃棄処分が行え、梱包対象物から抜け落ちにくく、コーナーパッド上から軟包材梱包をしても破れないという実用上有益な種々の効果を奏するものである。
【考案を実施するための最良の形態】
【００１６】  本考案の最良の形態は、凹部１４を有する外側板２、３より鉤状もしくは波状の支持辺１０を有する隣り合う内天地板４、外天地板５を延設する。折曲線９上に支持辺１０が重なるように折曲線６〜８を折って側板１を形成する。その後、折曲線９に従って外天地板５を内天地板４の外面に重なるように折り曲げ、外天地板５より延設され両端に凹部１１ａを設けた支持板１１を内天地板４の内面に折り重ねることにより内天地板４と外天地板５が連結され、反発力をもった支持板１１を内部に有するコーナーパッドが形成される。これを梱包対象物の角部に嵌め込むことで当初の目的を達成するものである。
【実施例】
【００１７】  本考案コーナーパッドの基本構成は、段ボールシートを材料とする一枚ブランクからなり、接着剤等を使わずに折り畳むだけで形成されるものである。【００１８】  このブランクは、側板１を介し凹部１４をもつ外側面２、３を設け、外側面２の上下に内天地板４、もう片方の外側面３の上下に外天地板５を設ける。外天地板５には折曲線１２より両端に凹部１１ａをもつ屈曲自在な支持板１１を延設する。内天地板４と隣り合う外天地板５は切断線を共有し、その切断線を鉤状もしくは波状とし、少なくとも１以上の支持辺１０を設ける（図１参照）。【００１９】  図示例のコーナーパッドは、側板１の上下より延設された折曲片１３を内側に折り、折曲線６〜８に従って折ることで、支持辺１０が折曲線９上に重なって側板１を形成する（図２参照）。さらに折曲線９に沿って外天地板５を折り畳むことによって、内天地板４の外面に外天地板５が重なり、折曲線１２に沿って支持板１１を折り曲げることで屈曲自在の支持板１１が形成され、内天地板４と外天地板５が連結すると共に、折曲線１２が有する反発力が梱包対象物との固定に作用するようにしたコーナーパッドである（図３参照）。【００２０】  本考案の使用方法は、支持板１１が屈曲自在の状態でコーナーパッドの内部に位置し、梱包対象物の角部に押し込むようにして嵌め込むことで固定される。【００２１】  尚、図示例の各構成は、本考案の一実施例に過ぎず、例えば、側板１から折曲片１３を延設しなくとも、同様のコーナーパッドを形成することが可能である。また、シートの材質を合成樹脂材等他の材質に変更することも可能であるなど、本考案の要旨を変更しない範囲において自由に変更することができる。
【図面の簡単な説明】
【００２２】
【図１】本考案の一実施例を示す展開図である。
【図２】図１の組立て順序を示す斜視図である。
【図３】本考案の一実施例を示す斜視図である。
【符号の説明】
【００２３】１  側板
２  外側板
３  外側板
４  内天地板
５  外天地板
６  折曲線
７  折曲線
８  折曲線
９  折曲線
１０  支持辺
１１  支持板
１１ａ  凹部
１２  折曲線
１３  折曲片
１４  凹部
【図１】
0003150234.tif 000003
【図２】
0003150234.tif 000004
【図３】
0003150234.tif 000005